(57)【要約】【課題】事前に検討することなく、最適な照明の反射角度を見つけて、アーチ形照明板の光ムラを軽減することができ、また、フラット形照明板の場合においても、少ない照明器具で照明板の光ムラを軽減できるようにして、消費電力や製造原価を抑えることができるエレベータかご室の天井照明装置を得る。【解決手段】エレベータかご室内の天井４の下面に設置された取付台９と、取付台９に締結部材１０を介して取り付けられ、照明の反射角度に応じて取付角度を調整できる一対の反射板８Ａとを備え、取付台９が、締結部材１０とそれぞれ係合する一方の穴９ａと他方の複数の穴９ａが設けられ、複数の穴９ａは一方の穴を軸とする円周上に設けられている。【選択図】　　　　図１
2004137011.tif 000002
【特許請求の範囲】
【請求項１】
エレベータかご室内の天井の下面に設置された取付台と、該取付台に締結部材を介して取り付けられ、その取付角を調整することにより照明光源から入射した照明光の反射方向を調整できるようにした反射板とを備えたことを特徴とするエレベータかご室の天井照明装置。
【請求項２】
上記取付台は、上記反射板の回動軸となる一方の穴と、上記一方の穴を軸とする円周上に上記締結部材と係合する複数の他方の穴が設けられていることを特徴とする請求項１記載のエレベータかご室の天井照明装置。
【請求項３】
上記反射板は、上記締結部材を介して上記取付台の複数の他方の穴と係合する長穴が設けられたことを特徴とする請求項２記載のエレベータかご室の天井照明装置。
【請求項４】
上記取付台は、上記反射板の回動軸となる一方の穴と、上記一方の穴を軸とする円周上に上記締結部材と係合する長穴が設けられていることを特徴とする請求項１記載のエレベータかご室の天井照明装置。
【請求項５】
上記取付台が、エレベータかご室内の天井の下面に設置された複数の照明光源にそれぞれ対向して複数設置され、上記反射板がそれぞれの取付台に取り付けられていることを特徴とする請求項１〜４のいずれかに記載のエレベータかご室の天井照明装置。
【請求項６】
上記複数の照明光源がエレベータかご室内の天井の下面の両端側に設置され、上記複数の取付台がエレベータかご室内の天井の下面の中央部に設置されていることを特徴とする請求項５に記載のエレベータかご室の天井照明装置。
【請求項７】
エレベータかご室内の天井の下面に設置された一対の取付部材と、
該一対の取付部材の一側にそれぞれ取り付けられた回転保持具と、
該回転保持具にそれぞれ締結部材により取り付けられ、照明の反射角度に応じて取付角度を調整できる一対の反射板とを備えたことを特徴とするエレベータかご室の天井照明装置。
【請求項８】
上記取付部材の他側と上記反射板の一端との間に上記照明の反射角度に応じてスペーサを設け、上記反射板の取付角度を調整するようにしたことを特徴とする請求項７記載のエレベータかご室の天井照明装置。
【請求項９】
上記反射板の上記締結部材による締結固定用の穴を長穴としたことを特徴とする請求項７記載のエレベータかご室の天井照明装置。
【請求項１０】
上記エレベータかご室内の天井の下側に設けられた照明器具からの光が上記反射板を介して反射される照明板としてアーチ形照明板を用いたことを特徴とする請求項１〜９のいずれかに記載のエレベータかご室の天井照明装置。
【請求項１１】
上記エレベータかご室内の天井の下側に設けられた照明器具からの光が上記反射板を介して反射される照明板としてフラット形照明板を用いたことを特徴とする請求項１〜９のいずれかに記載のエレベータかご室の天井照明装置。
【発明の詳細な説明】
【０００１】
【発明の属する技術分野】
この発明は、エレベータかご室の天井照明装置に関し、特に、アーチ形照明板またはフラット形照明板を有するエレベータかご室の天井照明装置に関するものである。
【０００２】
【従来の技術】
通常、天井の全面またはその大部分を照明板として構成している光天井において、最も問題となるのは照明板の光ムラである。このような光ムラを防止するためには、光源となる蛍光灯等の照明器具をより多く、しかも均等に設置しなければならない。また、光源となる照明器具と照明板との距離をある程度離しておく必要がある。ところが、このような場合には、エレベータかご室内の天井が低くなり、実質的にエレベータかご室内の高級感や開放感を損なうおそれがある。
【０００３】
そこで、エレベータかご室内の高級感や開放感を演出するために、従来天井中央部の照明板をアーチ形状としたものがある。
図９は、上記のようなアーチ形照明板を有する従来のエレベータかご室の天井照明装置を示す縦断面図である。
図に示すように、エレベータかご室１は、かご床２、壁３、エレベータかご室内の天井４、吊り天井５、目地５ａ、照明板６、アーチ形照明板６ａ、照明器具７を備えている。
ところで、このようなアーチ形照明板を有する従来のエレベータかご室の天井照明装置の場合には、ア一チの頂点付近に照明器具がないとその部分が際立って暗くなり、逆に照明器具を配置するとランプの輪郭が浮き出てしまうという問題があった。
【０００４】
そこで、上記の光ムラを軽減する方策として、例えば、照明板中央部分がアーチ形状の天井において、反射板を設けて頂点付近の照明板の光ムラを軽減する場合がある。図１０は、上記のようなアーチの頂点部分に反射板を設置したアーチ形照明板を有する従来のエレベータかご室の天井照明装置を示す縦断面図である。なお、図１０において、図９と同一符号は同一部分を示している。図において、８はアーチの頂点部分に設けられた反射板である。この反射板８は、図１１に示すように、角度固定式の反射板とされている。（例えば、特許文献１参照）
【０００５】
【特許文献１】
特開平５−１６２９５４号公報
【０００６】
また、従来のエレベータかご室の天井照明装置として、フラット形照明板を有するエレベータかご室の天井照明装置もあり、図１２はその縦断面図であり、図１３は図１２を見上げた図である。なお、図１２および図１３において、図９と同一符号は同一部分を示している。
【０００７】
【発明が解決しようとする課題】
ところで、図１１に示すようなアーチの頂点部分に角度固定式の反射板を設置したアーチ形照明板を有する従来のエレベータかご室の天井照明装置の場合には、最適な照明の反射角度がかごサイズによる照明器具の配置や照明器具の種類、照明板との距離等の組合わせによって様々に異なるため、事前に検討するのは大変困難で、頂点付近の照明板の光ムラを確実に軽減することができないという問題点があった。
【０００８】
また、図１２に示すようなフラット形照明板を有するエレベータかご室の天井照明装置の場合は、図１３に示すように、多くの照明器具を用いて照明板の光ムラを軽減するようにするため、消費電力や製造原価が多大になるという問題点があった。
【０００９】
この発明は、上記のような問題点を解消するためになされたもので、事前に検討することなく、最適な照明の反射角度を見つけて、アーチ形照明板の光ムラを軽減することができ、また、フラット形照明板の場合においても、少ない照明器具で照明板の光ムラを軽減できるようにして、消費電力や製造原価を抑えることができるエレベータかご室の天井照明装置を提供することを目的とする。
【００１０】
【課題を解決するための手段】
この発明に係るエレベータかご室の天井照明装置は、エレベータかご室内の天井の下面に取付台を設置し、この取付台に締結部材を介して反射板を取り付け、その取付角を調整することにより照明光源から入射した照明光の反射方向を調整できるようにしたものである。
なお、この発明のその他の特徴と効果は、以下の説明で明らかにするとおりである。
【００１１】
【発明の実施の形態】
以下、この発明の実施の形態を、図に基づいて説明する。
実施の形態１．
図１は、この発明の実施の形態１による、例えばアーチ形照明板を有するエレベータかご室の天井照明装置を示す構成図である。
図において、エレベータかご室内の天井４には、照明の反射角度に応じて取付角度を調整できるように設けられた一対の反射板８Ａと、天井４の下面に設置された取付台９とが設置されている。取付台９には締結固定用穴９ａと反射板８Ａの回動軸用の穴９ｂが設けられ、ネジ等の締結部材１０により反射板８Ａを取付台９に対して２カ所で締結固定している。なお、取付台９の締結固定用穴９ａは、同図に示すように、一方の穴９ｂを軸とする円周上に複数の穴が設けられており、これら複数の穴に対して締結部材１０のねじ込み位置を変えることで、矢印ａで示すように、照明の反射角度に応じて反射板８Ａの取付角度を変えることができる。
【００１２】
このようにして、本実施の形態では、取付台９の締結固定用穴は、一方の穴を軸とする円周上に複数の穴が設けられているため、反射板８Ａの取付角度が段階的ではあるが、エレベータ設置後においても容易に調整することができるようになり、照明板の光ムラを軽減することができる。
なお、図示省略するが、エレベータかご室は、例えば図１０で示したエレベータかご室１と同様または類似のものであり、図１０における従来の反射板に代えて、上記のような一対の反射板を用いるものである。
【００１３】
以上説明したように、この実施の形態によれば、エレベータかご室内の天井の下面に取付台を設置し、この取付台に締結部材を介して反射板を取り付け、その取付角を調整することにより照明光源から入射した照明光の反射方向を調整できるようにした。また、上記取付台には、反射板の回動軸となる一方の穴と、この一方の穴を軸とする円周上に締結部材と係合する複数の他方の穴が設けられている。これにより照明板の光ムラを軽減することができる。
また、この実施の形態によれば、取付台が、エレベータかご室内の天井の下面に設置された複数の照明光源にそれぞれ対向して複数設置され、反射板がそれぞれの取付台に取り付けられている。また、複数の照明光源がエレベータかご室内の天井の下面の両端側に設置され、複数の取付台がエレベータかご室内の天井の下面の中央部に設置されている。これにより照明板の光ムラを軽減することができる。
【００１４】
実施の形態２．
図２は、この発明の実施の形態２による、例えばアーチ形照明板を有するエレベータかご室の天井照明装置を示す構成図である。なお、図２において、図１と対応する部分には同一符号を付し、その詳細説明を省略する。
図において、８ａは反射板８Ａの締結固定用の穴であって、ここでは、同図の右側の反射板８Ａで示すように、単一の穴８ａが長穴とされており、同図に矢印ｂで示す範囲はその１つの穴８ａの長穴調整範囲を実質的に表している。
また、同図の左側の反射板８Ａの取付台９側に示すように、取付台９の締結固定用の複数の穴９ａを長穴とし、反射板８Ａの取付角度に応じてこれらの穴９ａに対して締結部材１０を抜き差しするだけで、反射板８Ａの取付角度を実質的に無段階で調整でき、同図に矢印ｃで示す範囲は反射板８Ａの反射角度の無段階調整範囲を表している。
【００１５】
このようにして、本実施の形態では、反射板８Ａまたは取付台９の締結固定用の穴を長穴とすることにより、反射板８Ａの取付角度が無段階で調整可能となるので、上記実施の形態１よりも更に照明板の光ムラを軽減することができる。
【００１６】
以上のように、この実施の形態によれば、反射板に、締結部材を介して取付台の複数の他方の穴と係合する長穴が設けることができる。また、この実施の形態によれば、取付台に、反射板の回動軸となる一方の穴と、上記一方の穴を軸とする円周上に上記締結部材と係合する長穴が設けることができる。これにより照明板の光ムラをより軽減することができる。
【００１７】
実施の形態３．
図３は、この発明の実施の形態３による、例えばアーチ形照明板を有するエレベータかご室の天井照明装置を示す構成図である。なお、図３において、図１および図２と対応する部分には同一符号を付し、その詳細説明を省略する。
上記実施の形態２が反射板８Ａに設けられた穴８ａまたは取付台９の穴９ａを長穴にすることで、反射板８Ａの取付角度を無段階で調整可能としたのに対し、本実施の形態では、取付台９に設けられた複数の穴を単一の長穴とすることで、反射板８Ａの取付角度を無段階で調整可能とするものである。
図において、９ｂは取付台９に設けられた締結固定用の穴であって、ここではこの穴９ｂとしては単一の長穴とする。そして、この長穴である穴９ｂの任意の位置で照明の反射角度に応じて反射板８Ａを取付台９に対して締結部材１０で締結固定するようにすることで、反射板８Ａの取付角度を無段階で調整可能になる。
【００１８】
このようにして、本実施の形態では、取付台９の締結固定用の穴９ｂを単一の長穴とすることで、上記実施の形態２と同様に反射板８Ａの取付角度を無段階で調整可能として照明板の光ムラを軽減することができると共に、上記実施の形態２のように複数の穴に対して締結部材１０を個別にいちいち締めたり、緩めたりする必要がなくなり、反射板を取り付ける際の作業性が向上する。
【００１９】
以上のように、この実施の形態によれば、取付台の複数の穴を単一の長穴としたので、照明板の光ムラを軽減することができると共に、反射板の取り付作業の効率化を図ることができる。
【００２０】
実施の形態４．
図４は、この発明の実施の形態４による、例えばアーチ形照明板を有するエレベータかご室の天井照明装置を示す構成図である。なお、図４において、図１と対応する部分には同一符号を付し、その詳細説明を省略する。
図において、８Ｂは取付台９に対して締結部材１０Ａにより回転自在に取り付けられた反射板、８Ｂ１は反射板８Ｂに設けられたフック部であって、ここでは締結部材１０Ａは回転できるようになされており、この締結部材１０Ａに反射板８Ｂのフック部８Ｂ１を係合させることで、反射板８Ｂは実質的に取付台９に回転自在に取り付けられる。また、１１は回転する反射板８Ｂを保持するストッパであって、反射板８Ｂはこのストッパ１１の位置より下方向に移動しないようにその移動範囲を規制される。
【００２１】
このようにして、本実施の形態では、反射板８Ｂを取付台９に対して回転自在に取り付けることにより、反射板８Ｂの取付角度の調整機能、つまり照明板の光ムラを軽減する機能はそのままで、例えば図９に示したような照明器具７の点検・交換の際には、照明板６およびアーチ形照明板６ａを持ち上げれば、反射板８Ｂを押し上げることができるので、照明板６およびアーチ形照明板６ａの着脱作業を容易に行うことができる。
【００２２】
以上のように、この実施の形態によれば、反射板を取付台に回転自在に取り付けたので、照明板の光ムラを軽減することができると共に、照明板等の着脱作業の簡易化を図ることができる。
【００２３】
実施の形態５．
図５は、この発明の実施の形態５による、例えばアーチ形照明板を有するエレベータかご室の天井照明装置を示す構成図である。なお、図５において、図１と対応する部分には同一符号を付し、その詳細説明を省略する。
図において、８Ｃは照明の反射角度に応じて取付角度を調整できるように設けられた一対の反射板、１２は天井４の下面に設置された取付部材としてのＬ字状をなす一対の取付金であって、この取付金１２の他側は天井４に取り付けられ、一側は後述の回転保持具が取り付けられる。１３は取付金１２の一側にそれぞれ取り付けられたヒンジ等の一対の回転保持具であって、この回転保持具１３を介して一対の反射板８Ｃが締結部材１０によって各取付金１２の一側にそれぞれ締結固定される。１４は取付金１２と反射板８Ｃとの接触部分、つまり取付金１２の他側下面と反射板８Ｃの一端との間に設けられたスペーサであって、図５では図の左側部分のみ設けた場合を示しているが、勿論図の右側部分にも設けられるものである。このスペーサ１４を照明の反射角度に応じて積み重ねることにより、同図に矢印ｄで示すように、反射板８Ｃの取付角度を調整できるようになされている。
【００２４】
このようにして、本実施の形態では、天井４の下面に設置された取付金１２に反射板８Ｃを、回転保持具１３を介して締結部材１０よって締結固定し、取付金１２と反射板８Ｃとの接触部分に照明の反射角度に応じてスペーサ１４を積み重ねて反射板８Ｃの取付角度を調整することにより、上記実施の形態４と同様に、照明板の光ムラを軽減することができると共に、照明板等の着脱作業を容易に行うことができる。
【００２５】
以上のように、この実施の形態によれば、エレベータかご室内の天井の下面に一対の取付部材を取り付け、この一対の取付部材の一側にそれぞれ回転保持具を取り付け、さらに、回転保持具に、照明の反射角度に応じて取付角度を調整できる一対の反射板をそれぞれ締結部材により取り付ける。これにより、照明板の光ムラを軽減することができると共に、照明板等の着脱作業の簡易化を図ることができる。
また、この実施の形態発明によれば、取付部材の他側と反射板の一端との間に照明の反射角度に応じてスペーサを設け、反射板の取付角度を調整するので、照明板の光ムラの軽減、照明板等の着脱作業の簡易化に寄与できる。
【００２６】
実施の形態６．
図６は、この発明の実施の形態６による、例えばアーチ形照明板を有するエレベータかご室の天井照明装置を示す構成図である。なお、図６において、図５と対応する部分には同一符号を付し、その詳細説明を省略する。
図において、８Ｄは照明の反射角度に応じて取付角度を調整できるように設けられた一対の反射板であって、この一対の反射板８Ｄはそれぞれ回転保持具１３を介して締結部材１０によって各取付金１２の一側に締結固定される。８ｂは反射板８Ｄに設けられた締結固定用の穴であって、ここではこの穴８ｂは長穴とされる。そして、この長穴である穴８ｂの任意の位置に、同図に矢印ｅで示すように締結部材１０を動かし、照明の反射角度に応じて反射板８Ｄを取付金１２の一側に回転保持具１３を介して締結部材１０により締結固定するようにすることで、反射板８Ｄの取付角度を無段階で調整可能になる。
【００２７】
このようにして、本実施の形態では、天井４の下面に設置された取付金１２に反射板８Ｄを、回転保持具１３を介して締結部材１０によって締結固定する際に、反射板８Ｄに設けられた締結固定用の長穴８ｂに沿って締結部材１０の締結位置を動かして反射板８Ｄの取付角度を変えることにより、上記実施の形態５と同様に、照明板の光ムラを軽減することができると共に、照明板等の着脱作業を容易に行うことができる。また、上記実施の形態５で用いたようなスペーサが不要になるので、それだけ構成の簡略化、コストの低廉化が図れる。
【００２８】
以上のように、この実施の形態によれば、反射板の締結部材による締結固定用の穴を長穴としたので、照明板の光ムラを軽減することができると共に、照明板等の着脱作業の簡易化を図ることができ、また、スペーサが不要になるので、それだけ構成の簡略化、コストの低廉化が図れる。
【００２９】
実施の形態７．
図７は、この発明の実施の形態７による、例えばフラット形照明板を有するエレベータかご室の天井照明装置を示す構成図である。
図において、１はエレベータのかご室、２はかご床、３は壁、４はエレベータかご室内の天井、５は吊り天井、５ａは目地、６は照明板、７は照明器具、８Ａは例えば上記実施の形態１〜３で用いられた反射板と同様の反射板であり、従って、この反射板８Ａの詳細についてはその説明を省略する。また、反射板８Ａが取り付けられる取付台９等についても、上記実施の形態１〜３と同様のものを用いてよく、従って、ここではその記載を省略している。
【００３０】
図８は、図７のエレベータかご室の天井照明装置を下から見上げた図を示すものである。
図８と従来のエレベータかご室の天井照明装置を示す図１３の対比からも分かるように、本実施の形態では、反射板８Ａを設けたことで、天井４に取り付けられる照明器具７の数が低減されていることが分かる。
【００３１】
このようにして、本実施の形態では、反射板８Ａを設けることで、上記実施の形態１〜６のアーチ形照明板を有するエレベータかご室の天井照明装置の場合と同様の効果が得られると共に、さらに、本実施の形態では、照明器具７の数を減らすことができるので、消費電力や製造原価を抑えることができる。
【００３２】
なお、本実施の形態では、反射板として図１〜図３に示した反射板８Ａを用いた場合について説明したが、これに限定されることなく、その他照明の反射角度を調整できる構造の反射板、例えば図４〜図６にそれぞれ示した反射板８Ｂ、８Ｃ、８Ｄの場合にも同様に適用でき、同様の効果を奏する。
【００３３】
【発明の効果】
以上説明したように、この発明によれば、エレベータかご室内の天井の下面に取付台を設置し、この取付台に締結部材を介して、照明の反射角度に応じて取付角度を調整できる反射板を取り付けたので、照明板の光ムラを軽減することができるという効果がある。
【図面の簡単な説明】
【図１】この発明の実施の形態１によるエレベータかご室の天井照明装置を示す断面図である。
【図２】この発明の実施の形態２によるエレベータかご室の天井照明装置を示す断面図である。
【図３】この発明の実施の形態３によるエレベータかご室の天井照明装置を示す断面図である。
【図４】この発明の実施の形態４によるエレベータかご室の天井照明装置を示す断面図である。
【図５】この発明の実施の形態５によるエレベータかご室の天井照明装置を示す断面図である。
【図６】この発明の実施の形態６によるエレベータかご室の天井照明装置を示す断面図である。
【図７】この発明の実施の形態７によるエレベータかご室の天井照明装置を示す断面図である。
【図８】この発明の実施の形態７によるエレベータかご室の天井照明装置における天井の見上げ図である。
【図９】従来のアーチ形照明板を有するエレベータかご室の天井照明装置を示す縦断面図である。
【図１０】従来のアーチ形照明板を有するエレベータかご室の天井照明装置を示す縦断面図である。
【図１１】従来のアーチ形照明板を有するエレベータかご室の天井照明装置における反射板を示す断面図である。
【図１２】従来のフラット形照明板を有するエレベータかご室の天井照明装置を示す縦断面図である。
【図１３】従来のフラット形照明板を有するエレベータかご室の天井照明装置における天井の見上げ図である。
【符号の説明】
１　エレベータのかご室、　　４　エレベータかご室内の天井、　　６　照明板、　　８Ａ，８Ｂ，８Ｃ，８Ｄ　反射板、　　８ａ，８ｂ　穴、　　９　取付台、　　９ａ，９ｂ　穴、　　１０，１０Ａ　締結部材、　　１１　取付金、
１３　回転保持具、　　１４　スペーサ。
【図１】
2004137011.tif 000003
【図２】
2004137011.tif 000004
【図３】
2004137011.tif 000005
【図４】
2004137011.tif 000006
【図５】
2004137011.tif 000007
【図６】
2004137011.tif 000008
【図７】
2004137011.tif 000009
【図８】
2004137011.tif 000010
【図９】
2004137011.tif 000011
【図１０】
2004137011.tif 000012
【図１１】
2004137011.tif 000013
【図１２】
2004137011.tif 000014
【図１３】
2004137011.tif 000015